(57)【特許請求の範囲】
【請求項１】
抜き栓タイプの中栓を備え、容器の開口部に係合するキャップであって、
前記キャップは、一体成形になるインナーリングとアウターリングを有し、各リングにて容器の開口部をその外側及び内側のそれぞれの全周域で取り囲んで挟持する係合凹部を形成するキャップ本体と、このキャップ本体にかぶさり注出筒を閉塞するオーバーキャップからなり、
前記キャップ本体のアウターリングに、容器の開口部の周りに沿い間隔をおいて配列される複数の一端開放型の縦スリットを設けるとともに、その内壁面で一体的に連結され、かつ、各縦スリットに連続的につながり、アウターリングの内側への少なくとも一回の折り込み状態で該アウターリングと該開口部のアンダーカット部分との相互間に収納されてその折り込みに由来した弾性的な反力によりキャップを開口部に固定する環状スカートを設けたことを特徴とする取り外しの容易なキャップ。
【発明の詳細な説明】
【０００１】
【発明の属する技術分野】
本発明は、取り外しの容易なキャップに関し、容器の開口部において装着されるキャップを簡単に取り外すことができるようにして、使用ずみ容器の確実な分別回収を実行ならしめようとするものである。
【０００２】
【従来の技術】
内容物を充てんする容器は、その製造のし易さ（成形性）や取り扱いの容易性から近年では樹脂製のものが多用されている。また、食品等の内容物を入れる容器は品質の安定性を長期間にわたって保持する観点からガラス製のものも多用されている。
【０００３】
上記のような容器は、何れのものにおいても内容物を取り出す開口部には、該開口部を密閉する、蓋体付きのキャップが別途備えられている。
【０００４】
ところで、上記のキャップは、成形性や成形過程での取り扱い性の向上あるいは、容器の強度補償を図る等の理由から容器とは異素材になるものが使われているが、近年、ゴミ問題や資源のリサイクル等の観点から使用ずみ容器においても材質毎に分別して廃棄する要請が高まるなかで、かかる容器においても容器とキャップとを区別して廃棄する、いわゆる分別回収の必要性が生じてきている。
【０００５】
この点に関する先行技術としては、キャップ本体と環状側壁が互いに係合する係合部を備えた形式のキャップにおいて、該環状側壁に薄肉部と弱化部を設けるようにした、特開平８−１５１０６３号公報に開示のようなキャップが知られている。
【０００６】
【発明が解決しようとする課題】
しかしながら、上記のようなキャップにおいては、一定の手順に従わなければ取り外すことができず、その手順を不特定多数の消費者に周知させるのは難しいところに問題を残している。
【０００７】
本発明の課題は、キャップが取付られている状態では、容器の開口部に強固に保持されているが、その取り外しに際しては、比較的簡単に取り外すことができる取り外しの容易なキャップを提案するところにある。
【０００８】
【課題を解決するための手段】
本発明は、抜き栓タイプの中栓を備え、容器の開口部に係合するキャップであって、
前記キャップは、一体成形になるインナーリングとアウターリングを有し、各リングにて容器の開口部をその外側及び内側のそれぞれの全周域で取り囲んで挟持する係合凹部を形成するキャップ本体と、このキャップ本体にかぶさり注出筒を閉塞するオーバーキャップからなり、
前記キャップ本体のアウターリングに、容器の開口部の周りに沿い間隔をおいて配列される複数の一端開放型の縦スリットを設けるとともに、その内壁面で一体的に連結され、かつ、各縦スリットに連続的につながりアウターリングの内側への少なくとも一回の折り込み状態で該アウターリングと該開口部のアンダーカット部分との相互間に収納されてその折り込みに由来した弾性的な反力によってキャップを開口部に固定する環状スカートを設けたことを特徴とする取り外しの容易なキャップである。
【０００９】
【発明の実施の形態】
以下、図面を用いて本発明をより具体的に説明する。
図１は本発明に従うキャップにつき、容器の開口部に係合させた状態の断面を示したものである。
【００１０】
図中１は容器の開口部でありこの開口部１はその外周にアンダーカット部を有している。また、２は容器の開口部１に係合するキャップ本体であって、このキャップ本体２には、需要者（消費者）が指でもって環状薄肉部ｔを境に引きむしることによって容器の注ぎ口１ａに連通する開口を形成する抜き栓タイプの中栓２ａと、インナーリング２ｂ及びアウターリング２ｃが一体的に設けられていて、キャップ本体２のインナーリング２ｂとアウターリング２ｃは容器の開口部１をその外側及び内側のそれぞれの全周域で取り囲んで挟持する係合凹部Ｋを成形するようになっている。
【００１１】
また、３はキャップ本体２にスクリューによる係止を可能としたオーバーキャップであり、このオーバーキャップ３はアンダーカットを利用した係止タイプとすることもできる。
【００１２】
また、４はアウターリング２ｃに、容器の開口部１の周りに沿う向きで間隔をおいて配列された一端開放型の縦スリット、５は環状スカートであって、この環状スカート５はアウターリング２ｃの内壁面において一端が一体的に連結されていて、開口部１との係合前は図２に示すようにアウターリング２ｃの内壁面から垂れ下がった状態にあるが、開口部１のアンダーカット部分Ｕとの相互間で図１に示す如く少なくとも一回の折り込み状態にて収納される。
【００１３】
図３に本発明に従うキャップの本体２につき、その一部断面で示した外観を示す。
【００１４】
容器の開口部１にかかるキャップを取りつけるには、図３に示した状態のままで、容器の開口部１にキャップの係合凹部Ｋを適合（図２参照）させ、次いで、環状スカート５の後端部を押圧して開口部１のアンダーカット部分Ｕとアウターリング２ｃの相互間で形成されるすき間内に押し込むか、あるいは環状スカート５を予め折り込んだ状態にしておき、容器の開口部１にキャップの係合凹部Ｋを押し込んで適合させるようにする。
【００１５】
容器の開口部１にキャップが取り付けられると環状スカート５は図１において既に示したの如くその空間内に折り込まれた状態で収納される。図４に、折り込み状態をその内側から見た図を示す。
【００１６】
収納された環状スカート５はその折り込みに由来した弾性的な反力によってその状態を開放（相互の離反）しようとする図４の矢印に示すような力が働き、これによってキャップは開口部１に強固に固定されることになる。
【００１７】
使用ずみ容器の廃棄に際してキャップを容器から取り外すには、オーバーキャップ３を外した状態でキャップの上部を一方向に押し込む。この押込みによりアウターリング２ｃが図５に示す如き状態に変形する。これにより、環状スカート５の折り込みに由来した弾性的な力は軽減され、この状態でキャップ本体２を開口部１から引き抜くことによって取り外される。
【００１８】
本発明においては、キャップ本体２のアウターリング２ｃに設けられるスリットは、とくに本数について限定されることはないが、かかるスリットの本数は多くなるほど小さいな力でキャップを取り外すことができる利点がある。
【００１９】
キャップは、ポリエチレンやポリプロピレン等の熱可塑性樹脂を射出成形することによって成形することができ、この成形に際しては、環状スカート５についても同時に形成される。
【００２０】
環状スカート５のサイズ（厚さ、長さ等）は、キャップや容器の材質あるいは大きさ等によって適宜に変更されるものであり、とくに限定はされないが、環状スカート５が折りたたまれた状態で初期状態に戻ろうとする弾性的な力が働くようなサイズとするのが望ましい。
【００２１】
【発明の効果】
本発明によれば、容器内に内容物が充てんされている状態では、キャップは簡単に外れることがないが、使用ずみ容器の廃棄に際して、オーバーキャップを外した状態でキャップの上部を一方向に押し込むだけで容器の開口部とキャップの係合状態が解除されるのでキャップを容器から簡単に取り外すことが可能であり、素材毎の分別回収が実現でき、資源のリサイクル化を図るうえで極めて有用である。
【図面の簡単な説明】
【図１】本発明に従うキャップの構成説明図である。
【図２】本発明に従うキャップを、環状スカートを引き出して容器の開口部に取り付けた状態を示した図である。
【図３】本発明に従うキャップにおいて一部分を断面にした外観を示した図である。
【図４】環状スカートの折り込み状態をその内側から見た図である。
【図５】キャップの取り外しかたの説明図である。
【符号の説明】
１  開口部
２  キャップ本体
３  オーバーキャップ
４  縦スリット
５  環状スカート
ｔ  環状薄肉部
Ｕ  アンダーカット部分
Ｋ  係合凹部
【図１】
0003872251.tif 000002
【図２】
0003872251.tif 000003
【図３】
0003872251.tif 000004
【図４】
0003872251.tif 000005
【図５】
0003872251.tif 000006